(57)【要約】【課題】モップの洗浄と水切りとを１つの回転かごを使用して行うことができる、簡単で合理的な設計構造を有する清掃用具を提供する。【解決手段】柄２の伸縮によりモップヘッド３が回転する回転式のモップ１と、該モップ１の洗浄及び水切りを行うためのバケツ１０とからなり、該バケツ１０は、洗浄水Ｗが収容される貯水域１３と洗浄水Ｗが収容されない空間域１４とを有するバケツ本体１１と、前記モップヘッド３を収容して該モップヘッド３の洗浄及び水切りを行う回転かご１２とを有し、該回転かご１２は、前記バケツ本体１１の内部に、前記貯水域１３内において前記洗浄水Ｗに浸漬する洗浄位置Ａと、前記空間域１４内における水切位置Ｂとの、２つの位置に変位可能なるように収容されると共に、前記２つの位置において、該回転かご１２内で回転する前記モップヘッド３に追従して回転するように構成される。【選択図】図５
2015024047.tif 000002
【特許請求の範囲】
【請求項１】
伸縮自在の柄と、該柄の先端に取り付けられた清掃用のモップヘッドとを有し、前記柄の伸縮により前記モップヘッドが回転する回転式のモップ、及び、該モップの洗浄と水切りとを行うためのバケツ、からなり、
前記バケツは、洗浄水が収容される貯水域と洗浄水が収容されない空間域とを有するバケツ本体と、前記モップヘッドを収容して該モップヘッドの洗浄及び水切りを行う回転かごとを有し、
前記回転かごは、前記バケツ本体の内部に、前記貯水域内において前記洗浄水に浸漬する洗浄位置と、前記空間域内における水切位置との、２つの位置に変位可能なるように収容されると共に、前記２つの位置において、該回転かご内で回転する前記モップヘッドに追従して回転するように構成された、
ことを特徴とする清掃用具。
【請求項２】
前記バケツ本体は、底部側に前記貯水域を有し、該貯水域の上方に前記空間域を有するように構成され、
前記回転かごは、前記バケツ本体の内部に垂直な軸線を中心に回転自在且つ昇降自在に配設されると共に、前記モップヘッドに対して係脱自在とされることにより、該モップヘッドに係止した状態で前記モップにより前記洗浄位置から前記水切位置に持ち上げられ、該水切位置で前記モップヘッドから分離されると該水切位置から前記洗浄位置に下降するように構成されたことを特徴とする請求項１に記載の清掃用具。
【請求項３】
前記回転かごは、前記バケツ本体の内部に、支持案内機構によって回転自在且つ昇降自在に支持され、
前記支持案内機構は、前記回転かごに相対的に回転自在であるが前記軸線方向には相互に固定的であるように連結された支持部材と、前記バケツ本体の内底部に設けられて前記支持部材を昇降自在に支持する支持軸と、前記バケツ本体の内側面に前記支持部材を介して前記回転かごの昇降を案内するように設けられた複数の案内部材とを有し、
前記支持部材は、軸線の回りに一定の角度間隔で配設された複数のカム突子を有し、
前記複数の案内部材は、前記軸線の回りに一定の角度間隔で配設されていて、前記複数のカム突子の一つが嵌合するカム溝をそれぞれ有し、該カム溝に沿って前記カム突子を案内することにより、前記回転かごを前記洗浄位置と前記水切位置との間で変位させるように構成された、
ことを特徴とする請求項２に記載の清掃用具。
【請求項４】
前記カム溝は、前記回転かごが洗浄位置にあるとき前記カム突子を受容して該回転かごを該洗浄位置に保持する洗浄用位置決め部と、前記回転かごが洗浄位置から水切位置に上昇するとき前記カム突子の上昇を案内する上昇案内部と、前記回転かごが水切位置にあるとき前記カム突子を受容して該回転かごを該水切位置に保持する水切用位置決め部と、前記回転かごが前記水切位置から前記洗浄位置に下降するとき前記カム突子の下降を案内する下降案内部とを有することを特徴とする請求項３に記載の清掃用具。
【請求項５】
前記カム溝の上端壁には、前記回転かごが前記洗浄位置から前記水切位置に上昇するとき、前記カム突子を前記上昇案内部から前記水切用位置決め部に向けて変位させる第１ガイド面が形成されると共に、前記回転かごが前記水切位置から前記洗浄位置に下降するとき、前記カム突子を前記水切用位置決め部から前記下降案内部に向けて変位させる第２ガイド面が形成されていることを特徴とする請求項４に記載の清掃用具。
【請求項６】
前記回転かごと前記モップヘッドとが、係脱機構により互いに係脱自在なるように構成されていて、該係脱機構は、前記回転かごの内底部中央に形成された嵌合軸と、前記モップヘッドの先端面中央部に形成された嵌合孔とからなり、
前記嵌合軸は、前記嵌合孔に嵌合する軸頭部と、該軸頭部の基端部寄りの位置に形成された係止溝とを有し、
前記嵌合孔は、孔径が変化する方向に弾性変形可能な複数の弾性壁を有していて、該弾性壁に、前記係止溝に弾力的に係脱する爪部が形成されている、
ことを特徴とする請求項１から５の何れかに記載の清掃用具。
【発明の詳細な説明】
【技術分野】
【０００１】
本発明は、床の清掃に使用されるモップと、該モップの洗浄及び水切りを行うためのバケツとからなる清掃用具に関するものである。
【背景技術】
【０００２】
床の清掃に使用されるモップと、該モップの洗浄及び水切りを行うためのバケツとからなる清掃用具は、例えば特許文献１や特許文献２等に開示されているように既に公知である。
【０００３】
これら公知の清掃用具において、前記モップは、伸縮自在の柄と、該柄の先端に回転自在に取り付けられた清掃用のモップヘッドとを有していて、前記柄を短縮させるとき前記モップヘッドが一方向に回転するように構成されている。該モップヘッドには繊維束が取り付けられている。
一方、前記バケツは、平面視形状で左右に細長い形をしていて、長手方向の一半部が洗浄部、他半部が水切部である。前記洗浄部には、洗浄水内で回転自在の洗浄ディスクが設けられ、前記水切部には、前記洗浄水より上方位置に水切り籠が回転自在に配置されている。
【０００４】
そして、前記モップの洗浄を行うときは、前記洗浄部において、該モップヘッドを前記洗浄ディスクに押し付けた状態でモップの柄を伸縮させることにより、前記モップヘッドが洗浄ディスクと共に回転して洗浄水により繊維束が洗浄され、該モップの水切りを行うときは、前記水切部において、前記モップヘッドの繊維束を前記水切り籠内に収容した状態でモップの柄を伸縮させることにより、前記モップヘッドの回転に追従して前記水切り籠が回転し、前記繊維束の水切りが行われる。
【０００５】
しかしながら、前記従来の清掃用具は、バケツの洗浄部には洗浄専用の前記洗浄ディスクを定置的に配設し、水切部には水切り専用の前記水切り籠を定置的に配設すると言ったように、前記洗浄部と水切部とに構成の異なる二種類の専用部品を定置的に配設した構成であるため、部品点数が多くなって構造が複雑であるという問題があった。
【先行技術文献】
【特許文献】
【０００６】
【特許文献１】特開２０１２−８１２０９号公報
【特許文献２】実用新案登録第３１６７２９４号公報
【発明の概要】
【発明が解決しようとする課題】
【０００７】
本発明の目的は、従来の清掃用具のようにバケツの洗浄部と水切部とに洗浄専用あるいは水切り専用の２種類の専用部品を定置的に配置するといったような複雑な構造を採用することなく、モップの洗浄と水切りとを１つの回転かごを使用して行うことができるようにした、簡単で合理的な設計構造を有する清掃用具を提供することにある。
【課題を解決するための手段】
【０００８】
前記課題を解決するため、本発明の清掃用具は、伸縮自在の柄と、該柄の先端に取り付けられた清掃用のモップヘッドとを有し、前記柄の伸縮により前記モップヘッドが回転する回転式のモップ、及び、該モップの洗浄と水切りとを行うためのバケツからなり、前記バケツは、洗浄水が収容される貯水域と洗浄水が収容されない空間域とを有するバケツ本体と、前記モップヘッドを収容して該モップヘッドの洗浄及び水切りを行う回転かごとを有し、前記回転かごは、前記バケツ本体の内部に、前記貯水域内において前記洗浄水に浸漬する洗浄位置と、前記空間域内における水切位置との、２つの位置に変位可能なるように収容されると共に、前記２つの位置において、該回転かご内で回転する前記モップヘッドに追従して回転するように構成されている。
【０００９】
本発明において好ましくは、前記バケツ本体が、底部側に前記貯水域を有し、該貯水域の上方に前記空間域を有するように構成され、前記回転かごは、前記バケツ本体の内部に垂直な軸線を中心に回転自在且つ昇降自在に配設されると共に、前記モップヘッドに対して係脱自在とされることにより、該モップヘッドに係止した状態で前記モップにより前記洗浄位置から前記水切位置に持ち上げられ、該水切位置で前記モップヘッドから分離されると該水切位置から前記洗浄位置に下降するように構成されることである。
【００１０】
この場合、前記回転かごは、前記バケツ本体の内部に、支持案内機構により回転自在且つ昇降自在に支持され、前記支持案内機構は、前記回転かごに相対的に回転自在であるが前記軸線方向には相互に固定的であるように連結された支持部材と、前記バケツ本体の内底部に設けられて前記支持部材を昇降自在に支持する支持軸と、前記バケツ本体の内側面に前記支持部材を介して前記回転かごの昇降を案内するように設けられた複数の案内部材とを有し、前記支持部材は、軸線の回りに一定の角度間隔で配設された複数のカム突子を有し、前記複数の案内部材は、前記軸線の回りに一定の角度間隔で配設されていて、前記複数のカム突子の一つが嵌合するカム溝をそれぞれ有し、該カム溝に沿って前記カム突子を案内することにより、前記回転かごを前記洗浄位置と前記水切位置との間で変位させるように構成されていることが望ましい。
【００１１】
また、前記カム溝は、前記回転かごが洗浄位置にあるとき前記カム突子を受容して該回転かごを該洗浄位置に保持する洗浄用位置決め部と、前記回転かごが洗浄位置から水切位置に上昇するとき前記カム突子の上昇を案内する上昇案内部と、前記回転かごが水切位置にあるとき前記カム突子を受容して該回転かごを該水切位置に保持する水切用位置決め部と、前記回転かごが前記水切位置から前記洗浄位置に下降するとき前記カム突子の下降を案内する下降案内部とを有することが望ましい。
【００１２】
更に、前記カム溝の上端壁には、前記回転かごが前記洗浄位置から前記水切位置に上昇するとき、前記カム突子を前記上昇案内部から前記水切用位置決め部に向けて変位させる第１ガイド面が形成されると共に、前記回転かごが前記水切位置から前記洗浄位置に下降するとき、前記カム突子を前記水切用位置決め部から前記下降案内部に向けて変位させる第２ガイド面が形成されていることが望ましい。
【００１３】
また、本発明において、前記回転かごと前記モップヘッドとは、係脱機構により互いに係脱自在なるように構成されていて、該係脱機構は、前記回転かごの内底部中央に形成された嵌合軸と、前記モップヘッドの先端面中央部に形成された嵌合孔とからなり、前記嵌合軸は、前記嵌合孔に嵌合する軸頭部と、該軸頭部の基端部寄りの位置に形成された係止溝とを有し、前記嵌合孔は、孔径が変化する方向に弾性変形可能な複数の弾性壁を有していて、該弾性壁に、前記係止溝に弾力的に係脱する爪部が形成されていることが望まし。
【発明の効果】
【００１４】
本発明によれば、従来の清掃用具のようにバケツの洗浄部と水切部とに洗浄専用あるいは水切り専用の２種類の専用部品を定置的に配置するといったような複雑な構造を採用することなく、モップの洗浄と水切りとを１つの回転かごを使用して行うことができる、簡単で合理的な設計構造を有する清掃用具を得ることができる。
【図面の簡単な説明】
【００１５】
【図１】本発明に係る清掃用具を構成するモップの斜視図である。
【図２】本発明に係る清掃用具を構成するバケツの斜視図である。
【図３】前記バケツの分解斜視図である。
【図４】回転かごの下面図である。
【図５】モップを洗浄している時の状態を示す断面図である。
【図６】モップを水切りしている時の状態を示す断面図である。
【図７】モップのモップヘッドの要部拡大下面図である。
【図８】モップヘッドと回転かごとの連結状態示す要部拡大断面図である。
【図９】支持案内機構を構成する案内部材の斜視図である。
【図１０】モップの他の構成例を示す斜視図である。
【発明を実施するための形態】
【００１６】
本発明に係る清掃用具は、図１に示すモップ１と、図２に示すバケツ１０とによって構成されている。
前記モップ１は、伸縮自在の柄２と、該柄２の先端に取り付けられた清掃用のモップヘッド３とを有していて、前記柄２の伸縮により前記モップヘッド３が回転する回転式のモップである。
【００１７】
前記柄２は、大径パイプからなる基端側の第１柄部分２ａと、小径パイプからなる先端側の第２柄部分２ｂとを有し、前記第１柄部分２ａの内部に前記第２柄部分２ｂが伸縮自在且つ回転自在に嵌入し、該柄２の内部に設けられた伸縮回転機構（不図示）によって該第１柄部分２ａと第２柄部分２ｂとが相互に連結され、前記第１柄部分２ａの内部に第２柄部分２ｂを押し込んで柄２を短縮させるとき、前記伸縮回転機構によって該第２柄部分２ｂが前記モップヘッド３と共に一方向に回転するように構成されている。
短縮した柄２を伸張させるとき、即ち、前記第１柄部分２ａから第２柄部分２ｂを引き出すときには、該第２柄部分２ｂは非回転のまま引き出され、該第２柄部分２ｂ及びモップヘッド３は回転しない。
【００１８】
なお、このような回転式のモップ１自体は既に公知であり、本発明においてはこのような公知の伸縮回転機構を有する回転式モップ１が使用されているため、前記伸縮回転機構に関する具体的な説明は省略する。
【００１９】
前記第１柄部分２ａの基端には握持用のグリップ部４が形成され、前記第２柄部分２ｂの先端には、前記モップヘッド３が、３６０度の自由度を有する連結機構５を介して取り付けられ、清掃時に、前記柄２を、前記モップヘッド３に対して任意の角度に傾斜させることができるようになっている。
【００２０】
また、前記第１柄部分２ａの先端部には、該第１柄部分２ａと前記第２柄部分２ｂとの伸縮及び回転操作を可能にしたり不可能にしたりするためのハンドル６が取り付けられ、図１に実線で示すように該ハンドル６を上方に倒すと、前記第１柄部分２ａと前記第２柄部分２ｂとが互いに係止状態となって伸縮及び回転操作が不可能になり、図１に鎖線で示すように該ハンドル６を下方に倒すと、前記第１柄部分２ａと前記第２柄部分２ｂとの係止が解かれて伸縮及び回転操作が可能になる。
【００２１】
前記モップヘッド３は、円板形をしたヘッド基板７の下面に円形の拭布８を面ファスナー等の取付手段によって着脱自在に取り付けたもので、該拭布８の外周には、前記ヘッド基板７の外周に延出する多数のモップ糸８ａが取り付けられている。
【００２２】
前記バケツ１０は、図２及び図３から分かるように、平面視形状が円形をなす合成樹脂製のバケツ本体１１と、前記モップ１の洗浄及び水切りを行うための合成樹脂製の回転かご１２とを有している。
【００２３】
前記バケツ本体１１は、やや上広がり状をなしていて、底部側に行くに従って次第に内径が小さくなっており、図５及び図６に示すように、該バケツ本体１１の下半部即ち底部側の部分は、前記モップ１を洗浄する洗浄水Ｗを収容するための貯水域１３であり、該バケツ本体１１の上半部、即ち前記貯水域１３より上方の空間部分は、前記モップ１の水切りを行うための空間域１４である。
【００２４】
前記バケツ本体１１の上端部には、半円形をした把手１５が起倒自在に取り付けられると共に、モップ１の洗浄時にバケツ本体１１内を旋回する前記洗浄水Ｗが、遠心力により該バケツ本体１１の内側面伝いに上昇して溢れ出るのを防止するための、リング状をした環状蓋１６が、内側に張り出した状態で着脱自在に取り付けられている。該環状蓋１６には、汚れた洗浄水Ｗを排水するための排水口１７が形成され、該排水口１７には、開閉自在の蓋体１７ａが取り付けられている。
図２中の符号１８は、前記バケツ本体１１の底部に１２０度間隔で３個取り付けられた脚部材である。
【００２５】
前記回転かご１２は、図３及び図４に示すように、上面が開放する円形のかごで、底面と側面とに多数の細長い水切孔２１を有し、前記バケツ本体１１の内部に、支持案内機構２２によって、垂直な軸線Ｌを中心に回転自在且つ昇降自在なるように支持され、前記モップ１により、図５に示すように、前記貯水域１３において洗浄水Ｗに浸漬する洗浄位置Ａと、図６に示すように、前記空間域１４内においてモップ１の水切りを行う水切位置Ｂとの、２つの位置に変位させることができると共に、該２つの位置Ａ，Ｂで前記モップヘッド３の回転に追従して回転できるように構成されている。
【００２６】
このため、前記回転かご１２の内底面中央には、図３、図７及び図８に示すように、前記モップヘッド３の下面の嵌合孔２４に係脱自在に嵌合する嵌合軸２５が形成され、これらの嵌合孔２４と嵌合軸２５とからなる係脱機構２３によって、前記モップ１と回転かご１２とが互いに係止したり離脱したりすることができるようになっているが、この係脱機構２３については後述する。
【００２７】
前記支持案内機構２２は、図３及び図４から明らかなように、前記回転かご１２に連結された支持部材２８と、前記バケツ本体１１の内底部中央に前記軸線Ｌと同軸状に設けられ、前記支持部材２８を昇降自在に支持する支持軸２９と、前記バケツ本体１１の内側面に取り付けられて前記支持部材２８及び回転かご１２の昇降を案内する案内部材３０とによって構成されている。
【００２８】
前記支持部材２８は、中央に位置する円形の台座部３１と、該台座部３１から１２０度の角度間隔で放射方向に延出する３つのアーム部３２と、隣接するアーム部３２同士を連結する補強枠３３とを有し、前記台座部３１が、前記回転かご１２の底部中央に、該回転かご１２に対して相対的に回転自在であるが前記軸線Ｌ方向には相互に固定的であるように連結されている。
【００２９】
前記台座部３１の中央には支持孔３４が形成され、該支持孔３４内に前記支持軸２９が嵌入することにより、前記回転かご１２が、前記支持部材２８を介して、前記バケツ本体１１の内部に、回転自在且つ昇降自在に支持されている。前記支持軸２９は、前記回転かご１２が前記洗浄位置Ａにあるときにも前記水切位置Ｂにあるときにも、前記支持孔３４から外れない長さに形成されている。
【００３０】
前記アーム部３２の先端は、前記回転かご１２の外面に沿って上方に少し折れ曲がっており、これにより形成された折曲部３２ａの外面に、断面形状が縦長の長円形をなすカム突子３５が形成されている。前記アーム部３２は前記軸線Ｌを中心に１２０度間隔で３つ配設されているため、前記カム突子３５も、前記軸線Ｌを中心に１２０度間隔で３つ配設されていることになる。
【００３１】
前記案内部材３０は、前記バケツ本体１１の内側面に前記軸線Ｌを中心に１２０度の角度間隔で３つ取り付けられている。図９から明らかなように、該案内部材３０は、前記バケツ本体１１の底部から上端部まで達する長さ、換言すれば前記貯水域１３から空間域１４まで延在する長さを有していて、その下半部に、前記カム突子３５が嵌合するカム溝３６を有し、上半部に、モップ１の洗浄時にバケツ本体１１内で旋回する洗浄水Ｗが該バケツ本体１１の内周面に沿って上昇するのを規制する複数の邪魔板３７を有している。
【００３２】
前記カム溝３６は、無端の循環路状に形成されていて、前記回転かご１２が前記洗浄位置Ａにあるとき前記カム突子３５を受容して該回転かご１２を該洗浄位置Ａに保持する凹状の洗浄用位置決め部３６ａと、前記回転かご１２が前記洗浄位置Ａから前記水切位置Ｂに上昇するとき前記カム突子３５の上昇を案内する上昇案内部３６ｂと、前記回転かご１２が前記水切位置Ｂにあるとき前記カム突子３５を受容して該回転かご１２を該水切位置Ｂに保持する凹状の水切用位置決め部３６ｃと、前記回転かご１２が前記水切位置Ｂから前記洗浄位置Ａに下降するとき前記カム突子３５の下降を案内する下降案内部３６ｄとを有している。
【００３３】
また、前記カム溝３６の上端壁３８には、前記回転かご１２を前記洗浄位置Ａから前記水切位置Ｂに上昇させる際に、前記上昇案内部３６ｂを上昇して該上端壁３８に当接したカム突子３５を、前記上昇案内部３６ｂに対応する位置から前記水切用位置決め部３６ｃに対応する位置に向けて変位させる第１ガイド面４１が形成されると共に、前記回転かご１２を前記水切位置Ｂから前記洗浄位置Ａに下降させる際に、前記水切用位置決め部３６ｃから持ち上げられて前記上端壁３８に当接した前記カム突子３５を、該水切用位置決め部３６ｃに対応する位置から前記下降案内部３６ｄに対応する位置に向けて変位させる第２ガイド面４２が形成されている。
【００３４】
前記第１ガイド面４１は、前記上昇案内部３６ｂに対応する位置から前記水切用位置決め部３６ｃに対応する位置に向けて斜め上向きに傾斜する第１傾斜部４１ａと、前記水切用位置決め部３６ｃに対応する位置で前記カム突子３５を停止させる斜め下向きに傾斜する第１停止部４１ｂとからなり、該第１停止部４１ｂの位置で前記カム突子３５が停止した状態で前記回転かご１２を下降させると、前記カム突子３５が、前記水切用位置決め部３６ｃの手前側にある側壁４３の上端の傾斜面４３ａにガイドされて該水切用位置決め部３６ｃ内に嵌合するようになっている。
【００３５】
また、前記第２ガイド面４２は、前記第１ガイド面４１と同様に、水切用位置決め部３６ｃに対応する位置から前記下降案内部３６ｄに対応する位置に向けて斜め上向きに傾斜する第２傾斜部４２ａと、前記下降案内部３６ｄに対応する位置で前記カム突子３５を停止させる斜め下向きに傾斜する第２停止部４２ｂとからなり、該第２停止部４２ｂの位置で前記カム突子３５が停止した状態で前記回転かご１２を下降させると、前記カム突子３５が、前記水切用位置決め部３６ｃの後方の側壁４４の上端の傾斜面４４ａにガイドされて前記下降案内部３６ｄ内に嵌合するようになっている。
【００３６】
図９中の符号４５は、前記回転かご１２を前記バケツ本体１１内に収容するとき、前記カム突子３５を前記カム溝３６内に誘導するための誘導溝で、前記案内部材３０の上端部から前記下降案内部３６ｄに通じるように形成されている。前記回転かご１２を前記バケツ本体１１から取り出すときも、前記誘導溝４５が用いられる。
【００３７】
前記複数の邪魔板３７は、前記案内部材３０の一方の側辺、即ち、旋回する洗浄水Ｗの流れの上流側を向く側辺に、相互間に適宜間隔をおいて上下多段状に形成されている。
【００３８】
前記回転かご１２と前記モップヘッド３とを係脱自在に連結する前記係脱機構２３は、前述したように、前記回転かご１２の内底部中央に形成された前記嵌合軸２５と、前記モップヘッド３の下面中央部に形成された前記嵌合孔２４とからなっている。
前記嵌合軸２５は、図３及び図８に示すように、前記嵌合孔２４に嵌合する六角形状をした軸頭部２５ａと、該軸頭部２５ａの基端部寄りの位置に形成された係止溝２５ｂと、該係止溝２５ｂの下端部の位置に形成された円環状の当接部２５ｃとを有している。前記軸頭部２５ａは、上端部側に向けてやや先細り状に形成され、前記当接部２５ｃは該軸頭部２５ａより大径に形成されている。
【００３９】
一方、前記嵌合孔２４は、図７及び図８に示すように、六角形状をしていて、該嵌合孔２４の孔径が変化する方向に弾性変形可能な３つの弾性壁２４ａと、弾性変形できない３つの固定壁２４ｂとで囲まれており、これらの弾性壁２４ａと固定壁２４ｂとは交互に配置されている。
また、前記弾性壁２４ａには、前記嵌合軸２５の係止溝２５ｂに弾力的に係脱する爪部２４ｃが前記嵌合孔２４の内側に向けて突出するように形成され、該弾性壁２４ａ及び前記固定壁２４ｂの先端面は、前記当接部２５ｃに当接する押圧部となっている。
【００４０】
そして、前記モップヘッド３を前記回転かご１２の内部に収容し、前記嵌合孔２４内に嵌合軸２５の軸頭部２５ａを嵌合させた状態で前記モップ１を該回転かご１２に強く押し付けると、前記弾性壁２４ａが押し開かれて前記嵌合軸２５が前記嵌合孔２４内に完全に嵌合し、前記爪部２４ｃが前記係止溝２５ｂに弾力的に係止する共に、前記弾性壁２４ａ及び固定壁２４ｂの先端の押圧部が前記当接部２５ｃに当接する。
また、前記モップヘッド３を回転かご１２から引き離すと、前記弾性壁２４ａの弾性変形によって前記爪部２４ｃが前記係止溝２５ｂから外れ、前記モップ１と回転かご１２とが分離される。
【００４１】
前記構成を有する清掃用具を使用するときは、先ず、前記バケツ本体１１の下半部の貯水域１３に洗浄水Ｗを入れる。このとき前記回転かご１２は、前記カム突子３５がカム溝３６の洗浄用位置決め部３６ａに嵌合する洗浄位置Ａにあるため、前記洗浄水Ｗに浸漬した状態になる。
【００４２】
前記モップ１の洗浄を行う時は、該モップ１の柄２のハンドル６を下方に倒すことにより該柄２が伸縮できるようにした状態で、図５に示すように、前記モップヘッド３を前記回転かご１２の中に収容し、該モップヘッド３を前記回転かご１２に強く押し付ける。そうすると、該回転かご１２の嵌合軸２５が前記モップヘッド３の嵌合孔２４内に嵌合し、前記爪部２４ｃが前記係止溝２５ｂに係止することにより、該モップヘッド３と回転かご１２とが連結されるので、その状態で前記モップ１の柄２を伸縮させることにより、前記モップヘッド３が回転し、それに追従して前記回転かご１２も回転し、該モップヘッド３の拭布８とモップ糸８ａとの洗浄が行われる。
【００４３】
このとき、前記バケツ本体１１内で洗浄水Ｗが旋回し、遠心力により該バケツ本体１１の内周面に沿って上昇するが、前記支持部材２８に形成された邪魔板３７によってその上昇が規制されると共に、前記環状蓋１６によってその位置で受け止められるため、該洗浄水Ｗがバケツ本体１１から溢れ出すことはない。
【００４４】
次に、前記モップ１の水切りを行う時は、図６に示すように、前記モップ１で回転かご１２を水切位置Ｂまで引き上げる。即ち、前記モップ１を引き上げると、前記モップヘッド３と回転かご１２とが連結されているため、該回転かご１２は前記モップヘッド３によって引き上げられる。その際、前記カム突子３５は、図９に示すように、前記洗浄用位置決め部３６ａから上昇案内部３６ｂを通って上昇し、カム溝３６の上端壁３８の第１ガイド面４１に当接したあと、該第１ガイド面４１の第１傾斜部４１ａに案内されて、前記上昇案内部３６ｂに対応する位置から前記水切用位置決め部３６ｃに対応する位置に向けて変位し、第１停止部４１ｂの位置で停止する。そこで、その位置でモップ１を下降させることにより、前記カム突子３５が、前記水切用位置決め部３６ｃの手前側にある側壁４３の上端の傾斜面４３ａにガイドされて該水切用位置決め部３６ｃ内に嵌合するため、前記回転かご１２は前記水切位置Ｂに保持される。
そこで、この水切位置Ｂで前記柄２を伸縮させてモップヘッド３を回転させることにより、前記回転かご１２もそれに追従して回転し、該モップヘッド３の拭布８とモップ糸８ａとの水切りが行われる。
【００４５】
前記水切りが終了すると、前記モップ１を更に引き上げることによって前記モップヘッド３と回転かご１２とを分離する。即ち、前記モップ１を引き上げると、図９において、前記カム突子３５が、カム溝３６の上端壁３８の第２ガイド面４２に当接し、該第２ガイド面４２の第２傾斜部４２ａに案内されて前記水切用位置決め部３６ｃに対応する位置から前記下降案内部３６ｄに対応する位置に向けて変位し、第２停止部４２ｂの位置で停止する。そこで、その位置でモップ１を更に強く引き上げることにより、前記爪部２４ｃが係止溝２５ｂから外れて嵌合軸２５が嵌合孔２４から外れるため、前記モップヘッド３と回転かご１２とが分離される。
【００４６】
モップ１から分離された前記回転かご１２はそのまま自重によって下降するが、このとき前記カム突子３５が、前記水切用位置決め部３６ｃの後方の側壁４４の上端の傾斜面４４ａにガイドされて前記下降案内部３６ｄ内に嵌合し、該下降案内部３６ｄに沿って下降したあと、前記洗浄用位置決め部３６ａ内に嵌合するため、前記回転かご１２は、前記洗浄位置Ａに自動的に復帰することになる。
【００４７】
一方、水切りが終了した前記モップ１は、柄２のハンドル６を上方に倒すことによって該柄２が伸縮できないようにし、その状態で床の清掃を行う。
【００４８】
図１に示したモップ１は、モップヘッド３の平面視形状が円形をしているが、該モップヘッド３の平面視形状は、図１０に示すように長方形であっても良い。この場合、前記モップヘッド３の長手方向の長さが回転かご１２の直径より大きいため水切り時に該回転かご１２の中に収容仕切れない場合には、ヘッド基板７の長手方向の両端部７ａ，７ａを折曲自在とし、同図に鎖線で示すように、該両端部７ａ，７ａを９０度折り曲げることによりモップヘッド３の長さを短くした状態で水切りを行い、清掃を行う場合は、同図に実線で示すように、前記両端部７ａ，７ａを伸張させた状態で清掃を行うように構成することもできる。
【００４９】
なお、図示した実施形態においては、前記支持部材２８に形成されたカム突子３５と、前記カム溝３６を有する案内部材３０とが、それぞれ３つずつ設けられているが、これらカム突子３５及び案内部材３０の数はそれぞれ４つ以上であっても良い。
【００５０】
また、前記モップ１と回転かご１２とを係脱自在とすることにより、該モップ１で前記回転かご１２を前記洗浄位置Ａから前記水切位置Ｂまで持ち上げるようにしているが、前記モップ１と回転かご１２とを必ずしも係脱自在とすることなく、前記回転かご１２に形成した把手等を手で持って該回転かごを前記２つの位置Ａ及びＢに手操作で移動させるように構成することもできる。
更に、前記バケツ本体１１を横長形状に形成して、左右隣接する位置に前記貯水域１３と空間域１４とを形成し、この貯水域１３と空間域１４との間で前記回転かご１２をモップ１又は手で移動させるように構成することもできる。
【符号の説明】
【００５１】
１      モップ
２      柄
３      モップヘッド
１０      バケツ
１１      バケツ本体
１２      回転かご
１３      貯水域
１４      空間域
２２      支持案内機構
２３      係脱機構
２４      嵌合孔
２４ａ      弾性壁
２４ｃ      爪部
２５      嵌合軸
２５ａ      軸頭部
２５ｂ      係止溝
２８      支持部材
２９      支持軸
３０      案内部材
３５      カム突子
３６      カム溝
３６ａ      洗浄用位置決め部
３６ｂ      上昇案内部
３６ｃ      水切用位置決め部
３６ｄ      下降案内部
３８      上端壁
４１      第１ガイド面
４２      第２ガイド面
Ａ      洗浄位置
Ｂ      水切位置
Ｗ      洗浄水
Ｌ      軸線
【図１】
2015024047.tif 000003
【図２】
2015024047.tif 000004
【図３】
2015024047.tif 000005
【図４】
2015024047.tif 000006
【図５】
2015024047.tif 000007
【図６】
2015024047.tif 000008
【図７】
2015024047.tif 000009
【図８】
2015024047.tif 000010
【図９】
2015024047.tif 000011
【図１０】
2015024047.tif 000012